【事件の表示】
　特願２０００−２５７５０９「スキャンデータのＰＣへの保存方法」拒絶査定不服審判事件〔平成１４年　３月１５日出願公開、特開２００２−　７７１７７〕について、次のとおり審決する。
【結　論】
　本件審判の請求は、成り立たない。
【理　由】
第１．手続の経緯
　本願は、平成１２年８月２８日の出願であって、平成１５年９月３０日付けで拒絶査定がなされ、これに対し、同年１１月７日に拒絶査定に対する審判請求がなされるとともに同年１２月２日付けで手続補正がなされたものである。
　
第２．補正却下の決定
［補正却下の決定の結論］
　　平成１５年１２月２日付けの手続補正を却下する。
　
［理由］
１．補正後の本願発明
　上記手続補正（以下、「本件補正」という。）は補正前の特許請求の範囲の請求項１に記載された発明を、
　「スキャナ装置と１または複数のＰＣとがネットワークを介して接続されているシステムにおいて、スキャナ装置によって読み取られたスキャンデータを、所定のＰＣの所定のフォルダに保存させるための、スキャンデータのＰＣへの保存方法において、
　各ＰＣには、スキャナ装置によって読み取られたスキャンデータを格納するスキャンデータ格納フォルダの場所が登録されており、
　スキャナ装置には、各ＰＣに登録されているスキャンデータ格納フォルダ毎に、各ＰＣのネットワーク上のアドレスが登録されており、
　スキャナ装置は、登録されている全てのスキャンデータ格納フォルダのうちから、スキャナ装置によって読み取られるスキャンデータを格納するフォルダをユーザに選択させた後にスキャンを行うとともに、ユーザによって選択されたスキャンデータ格納フォルダに対応するＰＣ上のネットワーク上のアドレスに基づいて、当該スキャンデータ格納フォルダが存在しているＰＣに、スキャンデータを送信し、
　ＰＣにはオペレーティングシステムおよびスキャンデータ受信用ソフトウエアが格納されており、スキャンデータ受信用ソフトウエアは、スキャナ装置からＰＣにスキャンデータが送られてきた場合には、それを受信して、予めＰＣに登録されているスキャンデータ格納フォルダに格納させることを特徴とするスキャンデータのＰＣへの保存方法。」
という発明（以下、「補正後の発明」という。）に補正することを含むものである。
　
２．新規事項の有無、補正の目的要件について
　本件補正は、願書に最初に添付した明細書又は図面に記載した事項の範囲内において、補正前の特許請求の範囲の請求項１に記載された「スキャナ装置は、…スキャンを行い、…スキャンデータを送信し、」を「スキャナ装置は、…スキャンを行うとともに、…スキャンデータを送信し、」と限定して特許請求の範囲を減縮するものであるから、特許法第１７条の２第３項（新規事項）及び第４項第２号（補正の目的）の規定に適合している。
　
３．独立特許要件について
　本件補正は特許請求の範囲の減縮を目的とするものであるから、補正後の発明が特許出願の際独立して特許を受けることができるものであるのかどうかについて以下に検討する。
　
（１）補正後の発明
　上記「１．補正後の本願発明」の項で認定したとおりである。
　
（２）引用発明及び周知技術
Ａ．原審の拒絶理由に引用された特開平１１−１４６１１９号公報（以下、「引用例」という。）には図面とともに以下の事項が記載されている。
　イ．「【特許請求の範囲】
【請求項１】  原稿画像をスキャンし画像データを出力するスキャナ手段と、ネットワークに接続された端末及び該端末の有するメモリのディレクトリを指定する指定手段と、前記スキャナ手段から出力された画像データを前記指定手段により指定した端末の前記指定手段により指定したメモリのディレクトリへネットワークを介して転送する転送手段とを有することを特徴とする画像処理装置。」（第２頁第１欄第１行〜第９行）
　ロ．「【請求項５】  原稿画像をスキャンし画像データをネットワークに接続された端末へ転送する画像処理方法において、ネットワークに接続された端末及び該端末の有するメモリのディレクトリを指定し、スキャナによって得られた画像データを指定された端末の指定されたメモリのディレクトリへネットワークを介して転送することを特徴とする画像処理方法。」（第２頁第１欄第２２行〜第２８行）
　ハ．「【０００１】
【発明の属する技術分野】本発明は、原稿画像をスキャンして得た画像データを他の端末へ転送する画像処理装置及び方法に関する。」（第２頁第１欄第３９行〜第４２行）
　ニ．「【００１０】
【発明の実施の形態】図１は本発明の実施例の画像処理装置の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、ネットワーク・インタフェース部７、フォーマッタ部８、イメージメモリ部９、コア部１０などからなる。」（第３頁第３欄第１行〜第１１行）
　ホ．「【００１３】ネットワーク・インタフェース部７は、パーソナルコンピュータ又はワークステーション（ＰＣ／ＷＳ）１１とコア部１０の間のインターフェイスでシリアルといった基本インターフェイスからＬＡＮまでサポートする。なお、ネットワーク機能としては、シリアル（ＳＬＩＰ）やＬＡＮの上でＮｅｔｗａｒｅ，ＴＣＰ／ＩＰ，ＥｔｈｅｒＴａｌｋ等のプロトコルをサポートし、ＮＦＳ等の上位レイヤのサービスもサポートする。」（第３頁第３欄第３０行〜第３７行）
　ヘ．「【００２０】図３はリーダ部１のブロック図である。ＣＣＤ１０９から出力された画像データはアナログ／デジタル変換及びシェーディング補正（Ａ／Ｄ・ＳＨ）部１１０でアナログ／デジタル変換が行われるとともに、シェーディング補正が行われる。Ａ／Ｄ・ＳＨ部１１０によって処理された画像データは画像処理部１１１を介してプリンタ部２へ転送されるとともに、インターフェイス部１１３を介して画像入出力制御部３のコア部１０へ転送される。ＣＰＵ１１４は操作部１１５で設定された設定内容に応じて画像処理部１１１及びインターフェイス１１３を制御する。」（第３頁第４欄第４０行〜第５０行）
　ト．「【００２５】次に図５の本実施例のネットワーク対応の画像処理装置のネットワークスキャナ機能におけるリーダ部１のＣＰＵ１１４の制御手順について説明する。
【００２６】図５のＳ５０１では、オペレータによる操作部１１５からのスキャナモードの選択に従って、スキャンデータを転送する先であるコンピュータ１１のネットワークアドレスおよびスキャンデータを登録するディレクトリを入力するモードに入る。
【００２７】Ｓ５０２では、ワンタッチキーを押下されたかどうかを確認し、押されたらＳ５０４へ、他のキーならＳ５０３へ移行する。
【００２８】Ｓ５０３では、＊＋数字が押下されたかどうかを確認し、押されたらＳ５０５へ、他のキーならＳ５０６へ移行する。
【００２９】Ｓ５０４では、ＦＡＸのワンタッチダイヤルと同様に、指定されたワンタッチダイヤルに予め登録されているネットワークアドレスとディレクトリを取り出して設定する。
【００３０】Ｓ５０５では、ＦＡＸの短縮ダイヤルと同様に、指定された短縮ダイヤルに予め登録されているネットワークアドレスとディレクトリを取り出して設定する。
【００３１】Ｓ５０６では、オペレータがキーボード等の入力デバイスを用いて直接入力したネットワークアドレスとディレクトリを設定する。
【００３２】Ｓ５０７では、設定されたネットワークアドレスとディレクトリに基いて、“ｍｏｕｎｔ−Ｆ‘ネットワークアドレス’：‘ディレクトリ名’”といったマウントコマンドを生成・実行し、ネットワーク上の本画像処理装置名が登録されているコンピュータ１１のハードディスクやメモリディスクをマウントしに行く。マウントできなければ、Ｓ５０８でコア部１１で管理するリトライ上限かどうかを確認する。上限ならば終了し、上限でなければ、Ｓ５０１からやり直す。
【００３３】Ｓ５０９では、Ｓ５０７でマウントしたコンピュータ１１のメモリ資源に今からスキャンするデータを格納するためのディレクトリ名（ネットワーク上の本画像処理装置名）があるかどうかを確認し、あればＳ５１１へ、なければＳ５１０へ移行する。
【００３４】Ｓ５１０では、マウントしたコンピュータのメモリ資源に、ネットワーク上の本画像処理装置名で、ディレクトリを作成する。
【００３５】Ｓ５１１では、ディレクトリ上に“ｓｃａｎ＿１９９７＿０９＿０１＿１５：００”といった日時情報に基づくファイル名で、スキャンデータ格納用のファイルを作成する。
【００３６】Ｓ５１２では、オペレータによるスキャン設定（濃度、解像度、孤立点除去、両面／片面、範囲指定）および原稿設定（原稿をそろえて原稿送給装置におく）を認識し、更に、スタートキイの押下を待機する。その際にジャムリカバーで動作中であって、且つ、流し読みの原稿給送装置でなければ、ジャムページの手前まで読み飛ばす。
【００３７】Ｓ５１３では、オペレータによるスタートキイの押下に応答して、１ページ目の原稿を給紙する。また、流し読みの原稿給送装置でなければ同時に原稿台にあるページを排紙する。
【００３８】Ｓ５１４では、搬送された原稿がジャム（スキャンジャム）したかどうか確認し、ジャム時はＳ５１５へ移る。ジャムしなければＳ５２１へ進む。
【００３９】Ｓ５１５では、中断するかどうか判断し、中断する必要がなければＳ５１６へ、中断する場合は、Ｓ５１７で転送途中の画像データを、本画像処理装置側から“ｒｍ‘スキャンデータファイル名’”といったコマンドを生成して、マウントしているコンピュータに送信することにより、その画像データをコンピュータが自動的に消去する。
【００４０】Ｓ５１６では、流し読みの原稿給送装置ならば、ジャムした原稿を逆方向に搬送してページを戻し、そうでなければ、オペレータに１ページ目からの再給送可能な状態に原稿を再設定することを指示する。
【００４１】Ｓ５１８では、マウントされたディレクトリに、今消去した以外の更なるファイルが残っているかどうか確認し、残っていればＳ５２０へ、残ってなければＳ５１９へ移行する。
【００４２】Ｓ５１９では、“ｒｍｄｉｒ‘ディレクトリ名’”といったコマンドを生成してマウントしているコンピュータに送信し、コンピュータから自動的に不安となったディレクトリを消去する。
【００４３】Ｓ５２０では、“ｕｍｏｕｎｔ‘ディレクトリ名’”といったコマンドを生成しマウントしているコンピュータに送信することによって、マウントを解除しネットワークを開放する。
【００４４】Ｓ５１４においてスキャンジャムの発生が認められなかった場合、Ｓ５２１でマウントしたコンピュータにＭＭＲ、ＪＢＩＧといった圧縮伸長機能が有るかどうかを確認し、あればＳ５２２へ、なければＳ５２３へ移行する。
【００４５】Ｓ５２２では、スキャンにより得た画像データをＭＭＲ、ＪＢＩＧ等の符号化方式によってリアルタイム圧縮する（１ページ分スプールしない）。
【００４６】Ｓ５２３では、スキャンにより得た画像データ、又は、Ｓ５２２で圧縮された画像データをリアルタイムにＳ５１１で作成したファイルに転送する（結果的に直接コンピュータ１１のハードディスクやメモリディスクに書き込む）。
【００４７】Ｓ５２４では、コンピュータ側のメモリ資源がメモリフルかどうか確認し、メモリフルならＳ５１７へ移行し、画像データの転送を中止し、前述した如くファイル消去等の処理をコンピュータに実行せしめ、メモリフルでなければ次に進む。
【００４８】Ｓ５２５では、原稿給送装置で搬送された原稿が最終ページかどうか確認し、最終ページでなければＳ５１３へ移行し、続く原稿の搬送、スキャンを前述と同様に実行し、コンピュータのファイルへ転送を行い、一方、最終ページならＳ５２６に進む。
【００４９】Ｓ５２６では、最終的にスキャンデータファイル名およびデータサイズ、ディレクトリ名および、コンピュータ１１を示すネットワークアドレスを操作部１１５に示し、誤ってスキャンデータを他のコンピュータに入れているかどうかをオペレータに判断せしめ、その結果消去する場合は、Ｓ５１７へ移行しファイル消去等の処理を実行し、消去しない場合は、Ｓ５２０へ移行し、ネットワーク解放を行ってジョブを終了する。」（第４頁第５欄第４６行〜第５頁第８欄第９行）
　
　ワンタッチキーや短縮ダイヤルに、パーソナルコンピュータ１１のネットワークアドレスと、スキャンデータを格納するディレクトリを、登録していることから、スキャンデータを格納するディレクトリ毎に対応するパーソナルコンピュータ１１のネットワークアドレスが登録されていることは明らかである。
　また、パーソナルコンピュータ１１には、オペレーティングシステムおよび受信用ソフトウエアが格納されていることは自明であり、受信処理を受信用ソフトウエアが処理することも明らかである。
　さらに図５のＳ５１３において１ページスキャンごとにＳ５２３において転送を行っていることから、スキャンを行うとともにパーソナルコンピュータ１１に、スキャンデータを転送していることは明らかである。
　
　したがって、上記引用例の記載及び図面ならびにこの分野における技術常識を考慮すると、上記引用例には以下の発明（以下、「引用発明」という。）が開示されている。
　「リーダ部と画像入出力制御部３からなる画像処理装置と複数のパーソナルコンピュータ１１とがネットワークを介して接続されているシステムにおいて、画像処理装置のリーダ部によって読み取られたスキャンデータを、所定のパーソナルコンピュータ１１の所定のディレクトリに保存させるための、スキャンデータのパーソナルコンピュータ１１への保存方法において、
　画像処理装置には、各パーソナルコンピュータ１１のスキャンデータを格納するディレクトリ毎に、各パーソナルコンピュータ１１のネットワークアドレスが登録されており、
　画像処理装置は、スキャンデータを格納するディレクトリのうちから、画像処理装置によって読み取られるスキャンデータを格納するディレクトリをオペレータに選択させた後にスキャンを行うとともに、オペレータによって選択されたスキャンデータを格納するディレクトリに対応するパーソナルコンピュータ１１のネットワークアドレスに基づいて、当該スキャンデータを格納するディレクトリが存在しているパーソナルコンピュータ１１に、スキャンデータを転送し、
　パーソナルコンピュータ１１にはオペレーティングシステムおよび受信用ソフトウエアが格納されており、受信用ソフトウエアは、画像処理装置からパーソナルコンピュータ１１にスキャンデータが送られてきた場合には、それを受信して、スキャンデータを格納するディレクトリに格納させるスキャンデータのパーソナルコンピュータ１１への保存方法。」
　
Ｂ．例えば特開平１１−２７５２９９号公報（以下、「周知例１」という。）には図面とともに以下の事項イが記載されており、また、特開平１１−１９６２２４号公報（以下、「周知例２」という。）には図面とともに以下の事項ロ〜ハが記載されており、さらに特開平５−２９２２１８号公報（以下、「周知例３」という。）には図面とともに以下の事項ニが記載されている。
　イ．「【０１５８】図４〜図６は本発明の第１の実施の形態に係るネットワーク複写機の制御の流れを示すフローチャートである。先ず、複写機の電源を投入した後、ステップＳ１１では、ローカルコピー用の操作手順情報をスクリプト形式で、内部のプリンタ部１５から内部通信線（図示略）を経由して入手する。画像読取部と内部のプリンタ部１５とは電源投入後は固定的に一対一に接続されるため、ローカルコピー用の操作手順情報は、電源投入時に１回だけ入手すればよい。次に、ステップＳ１２で、上記図３の操作部６中のスキャン設定開始キー２１が押下されたか否かをチェックし、押下されている場合はステップＳ１３からステップＳ１８でスキャン処理を行う。
【０１５９】先ず、ステップＳ１３では、上記図７〜図８で説明したステップＳ３１〜ステップＳ３５に基づいて、操作者が宛先である送り先コンピュータを指定し、デジタイザ７を使って読み込みたいエリアを指定し、複写機（画像読取装置）側で行われる処理のパラメータ（画像タイプと解像度）を指定する。次いで、ステップＳ１４で、送り先コンピュータからスキャン用の操作手順情報をスクリプト形式で、ネットワーク３を経由して入手する。入手するためのネットワークプロトコルは何でもよく、例えば一般的に使われているｆｔｐ（ｆile ｔransfer ｐrotocol）プロトコル等でもよい。
【０１６０】次いで、ステップＳ１５では、ステップＳ１４で入手した操作手順情報に基づき、例えば上記図９で説明したステップＳ３６〜ステップＳ３７に従って、操作者が送り先コンピュータ側で行われる処理の動作モード（例えば保存ファイルフォーマットと保存ディレクトリ）を指定する。次いで、上記図９のステップＳ３８の画面でスキャン開始が指示されると、ステップＳ１６で、原稿台上の、上記図８のステップＳ３５の画面で指示された領域の画像を読み込んで画像メモリ９に書き込む。
【０１６１】このとき、ステップＳ３５の画面で指示された解像度に応じたパラメータが画像処理部１４内の拡大縮小回路に設定され、それに応じて縮小がハード的に行われ、解像度変換した画像が画像メモリ９に書き込まれる。また、スキャナ部１２で読み取られる画像データはＲＧＢ２４ドットのため、上記図８のステップＳ３４の画面で白黒多値や白黒２値が指示された場合には、画像処理部１４内の変換回路で所望の色空間に変換されるように設定される。
【０１６２】次いで、ステップＳ１７では、ステップＳ１５で指定された送り先コンピュータ側で行われる処理の動作モードを送り先コンピュータに、ネットワーク３を経由して送出する。具体的には、例えば上記図１５のスクリプトに応じて設定が行われた場合には、入力されたフォーマット番号（＄Ｆｏｒｍａｔ）と保存ディレクトリ番号（＄Ｄｉｒ）が送られる。次いで、ステップＳ１８では、画像メモリ９から画像データを読み出し、送り先コンピュータに送出する。
【０１６３】送出は、上記図１８で説明したように画像データを複数のパケットに分割し、パケット単位に不連続に行われる。画像データを受け取った送り先コンピュータは、ステップＳ１７で受信した動作モード（保存ファイルフォーマットと保存ディレクトリ）で指示されたディレクトリに、指示されたファイルフォーマットで保存する。受信した画像データを、指示されたフォーマットに変換する処理は送り先コンピュータ側で行われる。」（周知例１、第１６頁第３０欄第３４行〜第１７頁第３１欄第４３行）
　
　上記周知例１の記載及び対応する図面を考慮すると、上記周知例１には、保存ディレクトリ番号（＄Ｄｉｒ）が送り先コンピュータへ送られ、送り先コンピュータにおいて保存ディレクトリ番号に対応するディレクトリに保存していることから、送り先コンピュータ側に保存する場所を識別する識別子に対応する格納ディレクトリの場所が登録されており、データが送られてきた場合には、それを受信して、予め送り先コンピュータに登録されている格納ディレクトリに格納することが示されている。
　
　ロ．「【００２６】ハードディスクドライブ２８において、２９は社員番号登録領域で、社員番号と個別画像情報記憶領域３１内で当該社員番号に割り当てた領域へのポインタとの対応表が記憶される。本システムの初期設定時等に本システム使用者の社員番号をサーバ装置３のキーボード２１から入力し、かつ個別画像情報記憶領域３１内に当該社員番号に対応した領域を確保し当該領域へのポインタを格納する。キーボード２１からＨＤＤ２８への情報入力処理、およびＨＤＤ２８内での領域確保処理は公知の技術により実現されるので、ここでは説明を省略する。
【００２７】３０は共有画像情報記憶領域で、どの社員も共通に参照することができる複数の画像情報を格納することができる。３１は個別画像情報記憶領域で、社員番号登録領域２９に登録された社員番号毎に割り当てられた個別画像情報記憶領域に分割されており、各社員番号毎の個別画像情報記憶領域には複数の画像情報を格納することができる。」（周知例２、第５頁第７欄第３行〜第２０行）
　ハ．「【００３９】図５は、本発明に係る画像読取りシステムにおける第１のデータ処理手順の一例を示すフローチャートであり、スキャナ１から画像が読取られて、スキャナ１から送られた情報をサーバ装置３で受信した場合に実行される画像情報格納する処理手順に対応する。なお、サーバ装置３がＬＡＮ５を介してスキャナ１からの情報を受信する処理は公知の技術で実現できるため詳細な説明は省略し、以下、スキャナからの情報を受信した直後の処理を説明する。なお、（１）〜（５）は各ステップを示す。
【００４０】まず、ステップ（１）では、スキャナ装置１から受信した情報に社員番号が送られてきているかどうかをＣＰＵ２０が判別し、社員番号がないと判定された場合には、ステップ（６）に進み、受信した画像情報をＨＤＤ２８内の共有画像情報記憶領域３０に格納して、処理を終了する。
【００４１】一方、ステップ（１）で、社員番号が有ると判定された場合は、ステップ（２）に進み、受信した社員番号を社員番号登録領域２９に登録されている社員番号と照合し、登録されたものであるかどうかを判定し（２）、登録されているものでないと判定した場合には、ステップ（４）へ進んで、障害情報をサーバ装置３の表示装置２３に表示するエラー処理を実行し、処理を終了する。
【００４２】一方、ステップ（２）で、受信した社員番号を社員番号登録領域２９に登録されている社員番号と照合し、登録されたものであると判定された場合には、ステップ（３）に進み、社員番号登録領域２９において、受信した社員番号に対応付けられた個別画像情報記憶領域３１内の領域ポインタを使って、当該ポインタが指す個別画像情報記憶領域に、受信した画像情報を格納して、処理を終了する。
【００４３】これにより、サーバ装置３が、例えば社員番号「００１」が画像情報とともに受信した場合、社員番号登録領域２９では当該社員番号には個別画像情報記憶領域００１が割り当てられており、画像情報は当該領域へ追加格納される。」（周知例２、第６頁第９欄第２０行〜第１０欄第６行）
　
　ニ．「【特許請求の範囲】
【請求項１】遠隔会議端末装置（29）からデジタル公衆網（15）を介して遠隔会議端末装置（29）に原稿を送信する通信転送方式において、受信側の遠隔会議端末装置（29）で受信したファイルを呼の接続時に受信するＳＥＴＵＰ「呼接続」メッセージの中に含まれる発端末識別子により、特定のディレクトリを指定する表を作成するディレクトリ指定表作成手段と、受信側の遠隔会議端末装置（29）で、着呼時、呼の接続時に受信するＳＥＴＵＰ「呼接続」メッセージの中に含まれる発端末識別子を参照して、特定のディレクトリに受信ファイルを格納する受信ファイル格納手段と、発端末識別子と格納するディレクトリの対応表を表示部（１）に表示しながらタッチパネル（９）及びキーボード（19）で情報を入力して対応表を作成する対応表作成手段とを有することを特徴とする遠隔会議端末装置の通信転送方式。」（周知例３、第２頁第１欄第１行〜第１６行）
　
　したがって、上記周知例１〜３に開示されているように、「受信装置においてデータを格納する場所が登録されており、受信装置にデータが送られてきた場合には、それを受信して、予め受信装置に登録されているデータ格納場所に格納させる」ことは周知である。
　
（３）対比・判断
　（３−１）対比
　補正後の発明と引用発明とを対比すると、
　引用発明の「リーダ部と画像入出力制御部３からなる画像処理装置」はスキャンをしていることから「スキャナ装置」であって、
　引用発明の「パーソナルコンピュータ」は「ＰＣ」と略されることができ、
　引用発明の「ディレクトリ」は「フォルダ」とも言われ、
　引用発明の「オペレータ」は操作者のことであるが、実質的には「ユーザ」ということができ、
　引用発明の「転送」は「送信」することであり、
　引用発明の「受信用ソフトウエア」はスキャンデータを受信処理しているから「スキャンデータ受信用ソフトウエア」を含んでいるから、
　引用発明の「リーダ部と画像入出力制御部３からなる画像処理装置」、「パーソナルコンピュータ１１」、「ディレクトリ」、「ネットワークアドレス」、「スキャンデータを格納するディレクトリ」、「オペレータ」、「転送」、「受信用ソフトウエア」が、それぞれ補正後の発明の「スキャナ装置」、「ＰＣ」、「フォルダ」、「ネットワーク上のアドレス」、「スキャンデータ格納フォルダ」、「ユーザ」、「送信」、「スキャンデータ受信用ソフトウエア」に相当することは明らかである。
　したがって、補正後の発明と引用発明は、以下の点で一致ないし相違している。
　
（一致点）
　「スキャナ装置と１または複数のＰＣとがネットワークを介して接続されているシステムにおいて、スキャナ装置によって読み取られたスキャンデータを、所定のＰＣの所定のフォルダに保存させるための、スキャンデータのＰＣへの保存方法において、
　スキャナ装置には、各ＰＣのスキャンデータ格納フォルダ毎に、各ＰＣのネットワーク上のアドレスが登録されており、
　スキャナ装置は、スキャンデータ格納フォルダのうちから、スキャナ装置によって読み取られるスキャンデータを格納するフォルダをユーザに選択させた後にスキャンを行うとともに、ユーザによって選択されたスキャンデータ格納フォルダに対応するＰＣのネットワーク上のアドレスに基づいて、当該スキャンデータ格納フォルダが存在しているＰＣに、スキャンデータを送信し、
　ＰＣにはオペレーティングシステムおよびスキャンデータ受信用ソフトウエアが格納されており、スキャンデータ受信用ソフトウエアは、スキャナ装置からＰＣにスキャンデータが送られてきた場合には、それを受信して、スキャンデータ格納フォルダに格納させるスキャンデータのＰＣへの保存方法。」
　
（相違点１）補正後の発明では「各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させ、スキャンデータ受信用ソフトウエアは、スキャナ装置からＰＣにスキャンデータが送られてきた場合には、それを受信して、予めＰＣに登録されているスキャンデータ格納フォルダに格納させる」のに対し、引用発明では「スキャナ装置には、各ＰＣのスキャンデータ格納フォルダ毎に、各ＰＣのネットワーク上のアドレスが登録されており、スキャナ装置は、スキャンデータ格納フォルダのうちから、スキャナ装置によって読み取られるスキャンデータを格納するフォルダをユーザに選択させ、スキャンデータ受信用ソフトウエアは、スキャナ装置からＰＣにスキャンデータが送られてきた場合には、それを受信して、スキャンデータ格納フォルダに格納させる」という構成を備えるに止まり、引用発明では各ＰＣにスキャンデータ格納フォルダの場所が登録されスキャンデータが送られてきた場合には予めＰＣに登録されているスキャンデータ格納フォルダに格納させる構成を備えていない点。
　
（相違点２）補正後の発明では「ＰＣ上のネットワーク上のアドレスに基づいて、当該スキャンデータ格納フォルダが存在しているＰＣに、スキャンデータを送信」するのに対し、引用発明では「ＰＣのネットワーク上のアドレスに基づいて、当該スキャンデータ格納フォルダが存在しているＰＣに、スキャンデータを送信」する点。
　
（３−２）当審の判断
　上記相違点を検討する。
　
（相違点１について）
　例えば周知例１〜３に開示されているように「受信装置においてデータを格納する場所が登録されており、受信装置にデータが送られてきた場合には、それを受信して、予め受信装置に登録されているデータ格納場所に格納させる」ことは周知であり、当該周知技術を引用発明に適用する上での阻害要因は何ら見当たらないから、引用発明に周知技術を適用し、「各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させ、スキャンデータ受信用ソフトウエアは、スキャナ装置からＰＣにスキャンデータが送られてきた場合には、それを受信して、予めＰＣに登録されているスキャンデータ格納フォルダに格納させる」という動作を採用する程度のことは当業者が容易になし得ることである。
　
（相違点２について）
　補正後の発明の「ＰＣ上のネットワーク上のアドレス」とは「ＰＣ上のアドレス」と「ネットワーク上のアドレス」の２つがあると解釈されるが、補正後の発明「ＰＣ上のネットワーク上のアドレスに基づいて、…ＰＣに、スキャンデータを送信」していることから「ネットワーク上のアドレス」を意図しているものと解され、引用発明の「ＰＣのネットワーク上のアドレス」と実質的差異は認められず、相違点２は実質的な相違点ではない。
　
　上記相違点１、２についての判断に加え、補正後の発明が有する効果も引用発明および周知技術から当業者が予測できる範囲のものである。
　
　したがって、補正後の発明は引用発明及び周知技術に基づいて容易に発明できたものであるから、特許法第２９条第２項の規定により、特許出願の際独立して特許を受けることができないものである。
　
４．結語
　以上のとおり、本件補正は、補正後の発明が特許出願の際独立して特許を受けることができないものであるから、特許法第１７条の２第５項の規定により準用する特許法第１２６条第４項の規定に適合していない。
　したがって、本件補正は、特許法第１５９条第１項において準用する同法第５３条第１項の規定により却下すべきものである。
　
第３．本願発明について
１．本願発明
　平成１５年１２月２日付けの手続補正は上記のとおり却下されたので、本願の請求項１に係る発明（以下、「本願発明」という。）は、平成１５年７月２９日付けの手続補正書により補正された明細書及び図面の記載からみて、その特許請求の範囲の請求項１に記載された以下のとおりのものと認める。
　「スキャナ装置と１または複数のＰＣとがネットワークを介して接続されているシステムにおいて、スキャナ装置によって読み取られたスキャンデータを、所定のＰＣの所定のフォルダに保存させるための、スキャンデータのＰＣへの保存方法において、
　各ＰＣには、スキャナ装置によって読み取られたスキャンデータを格納するスキャンデータ格納フォルダの場所が登録されており、
　スキャナ装置には、各ＰＣに登録されているスキャンデータ格納フォルダ毎に、各ＰＣのネットワーク上のアドレスが登録されており、
　スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣ上のネットワーク上のアドレスに基づいて、当該スキャンデータ格納フォルダが存在しているＰＣに、スキャンデータを送信し、
　ＰＣにはオペレーティングシステムおよびスキャンデータ受信用ソフトウエアが格納されており、スキャンデータ受信用ソフトウエアは、スキャナ装置からＰＣにスキャンデータが送られてきた場合には、それを受信して、予めＰＣに登録されているスキャンデータ格納フォルダに格納させることを特徴とするスキャンデータのＰＣへの保存方法。」
　
２．引用発明及び周知技術
　引用発明及び周知技術は、上記「第２．補正却下の決定」の項中の「３．独立特許要件について」の項中の「（２）引用発明及び周知技術」の項で認定したとおりである。
　
３．対比・判断
　本願発明は上記「第２．補正却下の決定」の項中の「２．新規事項の有無、補正の目的要件について」で検討したように、補正後の発明から平成１５年１２月２日付けの補正で付加された限定事項を省いたものである。
　そうすると、本願発明の構成に当該補正に係る限定を付加した補正後の発明が、上記「３．独立特許要件について」の「（３−２）当審の判断」で検討したとおり、引用発明及び周知技術に基づいて容易に発明できたものであるから、本願発明も同様の理由により、容易に発明できたものである。
　
４．むすび
　以上のとおり、本願発明は、引用発明及び周知技術に基づいて当業者が容易に発明をすることができたものと認められるから、特許法第２９条第２項の規定により特許を受けることができない。
　
　よって、結論のとおり審決する。